(57)【要約】      （修正有）【課題】電熱装置を備える手袋裏地の提供。【解決手段】電熱装置を備える手袋裏地は、ライナー２１、収容設置袋２２、電熱装置２３を備え、ライナー２１は掌カバー部２１２と複数の指カバー部２１４により一体搆成する手の平型のカバー体で、掌カバー部２１２一端にはカバー入り口２１３を形成し、反対端と各指カバー部２１４は連通し、これにより手の平をカバー入り口２１３から入れ装着することができ、ライナー２１外部には外袋２１６を設置し、外袋２１６は複数の延長袋２１６２を備え、それぞれ各指カバー部２１４外に延伸し、収容設置袋２２はライナー２１外部に設置する。それは袋体３２２と蓋片３２４により構成し、蓋片３２４は袋体の袋口２２３位置に設置し、電熱装置２３は電熱板２３２、電源２３４、コントローラー２３６により構成し、しかも電熱板、電源、コントローラーは導線２３８により通電し、電熱板の温度が上がり発熱する。【選択図】図４
2010121243.tif 000002
【特許請求の範囲】
【請求項１】
ライナー、収容設置袋、電熱装置を備え、
前記ライナーは掌カバー部と複数の指カバー部により一体搆成する手の平型のカバー体で、前記掌カバー部一端にはカバー入り口を形成し、反対端と前記各指カバー部は連通し、これにより手の平を前記カバー入り口から入れ装着することができ、前記ライナー外部には外袋を設置し、前記外袋は複数の延長袋を備え、それぞれ前記各指カバー部外に延伸し、
前記収容設置袋は前記ライナー外部に設置し、それは袋体と蓋片により構成し、前記蓋片は前記袋体の袋口位置に設置し、
前記電熱装置は電熱板、電源、コントローラーにより構成し、しかも前記電熱板、前記電源、前記コントローラーは導線により通電し、前記電源が電気エネルギーを提供することで、前記電熱板の温度が上がり発熱し、前記電熱板は軟質絶縁板体で、表面に電熱回路を設置して搆成し、前記電熱板は複数の延長片を突出して形成し、前記電熱回路は前記各延長片まで延伸し、前記電熱板は前記外袋内に設置され、しかも前記各延長片はそれぞれ前記各延長袋内に挿入され、前記電源と前記コントローラーは前記袋体内部に設置され、前記蓋片は前記袋口を塞ぎ、このようにして前記ライナーと前記電熱装置は分離、組み立てが容易となり、前記ライナー洗浄と前記電熱装置メンテナンスの利便性を向上させることができることを特徴とする電熱装置を備える手袋裏地。
【請求項２】
前記蓋片には導線通過孔を穿設、これにより導線は前記導線通過孔を通過し、延伸して前記袋体内部へと進入することを特徴とする請求項１に記載の電熱装置を備える手袋裏地。
【発明の詳細な説明】
【技術分野】
【０００１】
本発明は人体用防寒物品に関し、特に手に装着可能で、電熱板により熱エネルギーを提供するライナーで、しかもライナー外部にさらに手袋を装着し、これによりライナーの洗浄と電熱装置のメンテナンスの利便性を向上させることができる電熱装置を備える手袋裏地に関する。
【背景技術】
【０００２】
指は身体の末端に位置し、内部には多くの毛細血管と末梢神経が通っている。そのため、寒冷な環境で血管が収縮すると、毛細血管を流れる血液量が減少し、指の動きと感覚が鈍り、人は指に極度の冷たさを感じ不快に思う。
よって、寒冷な環境においては、手袋を装着し手を保護することが多い。
しかし、各種作業或いは活動において指を使用する必要がある場合には、作業、活動の利便性及び安全性を考慮し、指の細かな動きを適度に可能としなければならない。
一方、従来の布、皮革等を利用し製造する単純な単層手袋は、指の動作の機敏性をある程度確保することはできるが、その保温効果は明らかに不十分である。
しかし、綿、毛、羽毛等を裏地に挟む多層手袋では、保温性は優れているが、指の動きの機敏性に影響が及び、作業或いは活動を不便としてしまう。
【０００３】
図１に示す特許文献１の保温手袋は、手袋本体１１及びコネクター１２を備える。
図２に合わせて示すように、該手袋本体１１は裏地層１１２、加熱層１１４、保温層１１６、外覆層１１８を重ねて搆成する。
該加熱層１１４はフレキシブル電熱板で、該コネクター１２は巻き付け式導線１２２により、該加熱層１１４と電気的に連接し、これにより該加熱層１１４は、該コネクター１２により外部電力を取り込むことができる。
該手袋本体１１外部には蓋体１３を設置し、このようにして該コネクター１２及び該導線１２２は該手袋本体１１と該蓋体１３の間に収容される。
【０００４】
【特許文献１】台湾実用新案第M２８３５２４号明細書
【０００５】
該従来の保温手袋は、使用時に該コネクター１２と電源のコンセントを接続し、該加熱層１１４は電流が通過することにより発熱し、手袋の保温性を高めることができる。保温手袋を使用しない時には、該コネクター１２及び該導線１２２を該蓋体１３と該手袋本体１１との間に収容し、マジックテープ（登録商標）により、該蓋体１３と該手袋本体１１を接続し、確実に収納する。
【０００６】
すなわち、従来の保温手袋は、該手袋本体１１内部の層に固定して設置する該加熱層１１４により、熱エネルギーを提供する。このようにして手袋は厚みを増す必要がなくなり、良好な保温性能を発揮することができ、指の動きの機敏性が手袋によって妨害されることもない。しかし、該加熱層１１４は該手袋本体１１の内部層中に挟まれ固定されるため、該導線１２２は該外覆層１１８、該保温層１１６を貫通し、ようやく該加熱層１１４と接続される。そのため、使用者は該手袋本体１１内部の層状構造中から該加熱層１１４を取り出すことができず、該導線１２２と該加熱層１１４を分離させることはできない。よって、該手袋本体１１が汚れ、水で洗浄する時、液体は該手袋本体１１内部の層状構造に浸透し、内部に残り、完全に乾燥させるのは非常に難しい。もし該手袋本体１１内部に水分が残っていれば、該加熱層１１４はショートを起こし易く、その発熱効率にも悪影響を及ぼす。しかも水洗の過程において、該加熱層１１４、該導線１２２、該コネクター１２を損傷させ易く、該加熱層１１４と該導線１２２との間の電気的連接の信頼性、有効性も、水洗により損害を受ける恐れが高い。
【０００７】
すなわち、従来の保温手袋は該加熱層１１４を該手袋本体１１内部に挟み固定するため、該手袋本体１１の洗浄が非常に困難で、また該手袋本体１１が破損し、使用に堪えなくなった時には、内部に挟む該加熱層１１４も一緒に廃棄しなければならない。また該加熱層１１４が損壊した時、該加熱層１１４は該手袋本体１１の内部に挟み固定されるため、メンテナンスや交換が容易でなく、発熱・保温の作用が失われてしまう恐れがある。よって、従来の保温手袋の該加熱層１１４を該手袋本体１１内部に挟み固定する構造は、その洗浄、メンテナンスを困難にしているといえる。
【発明の開示】
【発明が解決しようとする課題】
【０００８】
本発明が解決しようとする主要な課題は、手にはめ、電熱板により熱エネルギーを提供するライナーで、しかもライナー外部にさらに手袋を装着し、このようにしてライナーの洗浄及び電熱装置のメンテナンスの利便性を向上させることができる電熱装置を備える手袋裏地を提供することである。
【課題を解決するための手段】
【０００９】
上記課題を解決するため、本発明は下記の電熱装置を備える手袋裏地を提供する。
電熱装置を備える手袋裏地はライナー、収容設置袋、電熱装置を備える。
該ライナーは掌カバー部と複数の指カバー部により一体搆成する手の平型のカバー体で、該掌カバー部一端にはカバー入り口を形成し、反対端と該各指カバー部は連通し、これにより手の平を該カバー入り口から入れ装着することができ、該ライナー外部には外袋を設置し、該外袋は複数の延長袋を備え、それぞれ該各指カバー部外に延伸する。
該収容設置袋は該ライナー外部に設置し、それは袋体と蓋片により構成し、該蓋片は該袋体の袋口位置に設置する。
該電熱装置は電熱板、電源、コントローラーにより構成し、しかも該電熱板、該電源、該コントローラーは導線により通電する。
該電源が電気エネルギーを提供することで、該電熱板の温度が上がり発熱し、該電熱板は軟質絶縁板体で、表面に電熱回路を設置して搆成し、該電熱板は複数の延長片を突出して形成し、該電熱回路は該各延長片まで延伸し、該電熱板は該外袋内に設置され、しかも該各延長片はそれぞれ該各延長袋内に挿入される。
該電源と該コントローラーは該袋体内部に設置され、該蓋片は該袋口を塞ぎ、このようにして該ライナーと該電熱装置は分離、組み立てが容易となり、該ライナー洗浄と該電熱装置メンテナンスの利便性を向上させることができる。
【発明の効果】
【００１０】
本発明は、ライナーと電熱装置は分離、組み立てが容易であるため、ライナー洗浄と電熱装置メンテナンスの利便性を向上させることができる。
【発明を実施するための最良の形態】
【００１１】
以下に図面を参照しながら本発明を実施するための最良の形態について詳細に説明する。
図３は本発明一実施形態による電熱装置を備える手袋裏地において、第一実施形態を示す立体図であり、図４は本発明一実施形態による電熱装置を備える手袋裏地において、第一実施形態を示す立体分解図であり、図５は本発明一実施形態による電熱装置を備える手袋裏地において、第二実施形態を示す立体概略図である。
【００１２】
図３、図４に示すように、本発明一実施形態による電熱装置を備える手袋裏地の第一実施形態は、ライナー２１、収容設置袋２２、電熱装置２３を備える。ライナー２１は耐熱性に優れた軟質材料により製造し、手に装着する手の平型のカバー体で、ライナー２１は掌カバー部２１２と複数の指カバー部２１４が一体に接続して搆成する。しかも掌カバー部２１２一端にはカバー入り口２１３を形成し、反対端と各指カバー部２１４は連通し、これにより手の平をカバー入り口２１３から入れて装着することができる。ライナー２１は掌カバー部２１２の外部に外袋２１６を設置し、外袋２１６は複数の延長袋２１６２を備え、それぞれ各指カバー部２１４外に延伸する。収容設置袋２２はライナー２１外部のカバー入り口２１３に近接する位置に設置し、袋体２２２及び蓋片２２４により構成する。袋体２２２はカバー入り口２１３方向に向かって袋口２２３を形成し、蓋片２２４は袋口２２３位置に設置される。電熱装置２３は、電熱板２３２、電源２３４、コントローラー２３６により構成し、しかも電熱板２３２、電源２３４、コントローラー２３６は導線２３８により通電する。電源２３４は、繰り返し充、放電が可能な各式電池で、また乾電池を設置する電池ボックスを設置することもできる。これにより、電気エネルギーを提供し、電熱板２３２は温度上昇し発熱する。電熱板２３２は軟質絶縁板体で、表面には電熱回路２３２２を設置して搆成する。電熱板２３２は複数の延長片２３２４を延伸し、電熱回路２３２２は各延長片２３２４に延伸する。電熱板２３２は外袋２１６内に設置し、しかも各延長片２３２４はそれぞれ各延長袋２１６２内へと延伸する。電源２３４及びコントローラー２３６は袋体２２２内部に設置し、蓋片２２４により袋口２２３をふさぎ、このようにして電源２３４及びコントローラー２３６を収容設置袋２２内部に定位する。
【００１３】
電熱板２３２を外袋２１６に入れ、コントローラー２３６を操作し、電流を電熱板２３２に通電させると、電熱板２３２は温度上昇し発熱する。次に、電源２３４及びコントローラー２３６を一緒に収容設置袋２２内部に収容し、蓋片２２４と袋体２２２を結合する。このようにして電源２３４、コントローラー２３６を定位し、それらが収容設置袋２２から落下しないようにする。電熱板２３２は熱エネルギーを発生し、これによりライナー２１内に在る手は暖かさを感じ続けることができる。使用者の必要に応じて、さらにライナー２１外部には一般の防寒手袋をはめることもでき、これにより熱エネルギーの散逸を防ぎ、保温効果を高めることができる。
【００１４】
使用者は、ライナー２１外部にさらに別の手袋をはめることで、外表面の汚れを防止することができる。しかし、ライナー２１は手と直接接触するため、手の汗等で汚れ易い。
この時、電熱板２３２を外袋２１６内から取り出し、電源２３４及びコントローラー２３６を収容設置袋２２内から取り出す。これにより各種方式を利用し簡単にライナー２１、収容設置袋２２を洗浄することができる。ライナー２１、収容設置袋２２の洗浄を完了後、電熱装置２３を元に戻せば使用を継続することができる。電熱装置２３は簡単に取り外し、元に戻すことができるため、ライナー２１の洗浄は非常に容易となる。しかもライナー２１が破損した場合には、ライナー２１だけを交換すれば良く、元々の電熱装置２３は保留し、新しいライナーに組み合わせて使用することができる。さらに、電熱板２３２、電源２３４、コントローラー２３６が損壊した場合には、簡単にメンテナンスを行うことができ、また損壊した部分だけを交換すれば良い。すなわち、電熱装置２３全体を廃棄する必要がない。さらに、未損壊のライナー２１を廃棄する必要もなく、使用を継続することができる。よって、本発明は、ライナー２１と電熱装置２３相互を簡単に分離可能な構造により、ライナー２１の洗浄及び電熱装置２３のメンテナンス、交換の利便性を確実に向上させることができる。
【００１５】
本発明一実施形態による電熱装置を備える手袋裏地において、第二実施形態は、第一実施形態にいささかの変化を加え搆成する。相同部分については、再記載は行わない。図５に示すように、本発明一実施形態による電熱装置を備える手袋裏地において、第二実施形態は、蓋片３２４に導線通過孔３２４２を穿設し、これにより導線３３８は導線通過孔３２４２を通過し、延伸して収容設置袋３２の袋体３２２内部へと進入する。さらに、袋体３２２と蓋片３２４間は、粘着嵌合ベルト(図示なし)により粘着接続する。
【図面の簡単な説明】
【００１６】
【図１】従来の保温手袋の立体概略図である。
【図２】従来の保温手袋において、手袋本体の局部断面図ある。
【図３】本発明一実施形態による電熱装置を備える手袋裏地において、第一実施形態を示す立体図である。
【図４】本発明一実施形態による電熱装置を備える手袋裏地において、第一実施形態を示す立体分解図である。
【図５】本発明一実施形態による電熱装置を備える手袋裏地において、第二実施形態を示す立体概略図である。
【符号の説明】
【００１７】
１１  手袋本体
１１２  裏地層
１１４  加熱層
１１６  保温層
１１８  外覆層
１２  コネクター
１２２  導線
１３  蓋体
２１  ライナー
２１２  掌カバー部
２１３  カバー入り口
２１４  指カバー部
２１６  外袋
２１６２  延長袋  
２２  収容設置袋
２２２  袋体
２２３  袋口
２２４  蓋片
２３  電熱装置
２３２  電熱板
２３２２  電熱回路
２３２４  延長片
２３４  電源
２３６  コントローラー  
２３８  導線
３２  収容設置袋
３２２  袋体
３２４  蓋片
３２４２  導線通過孔
３３８  導線
【図１】
2010121243.tif 000003
【図２】
2010121243.tif 000004
【図３】
2010121243.tif 000005
【図４】
2010121243.tif 000006
【図５】
2010121243.tif 000007